(57)【要約】【課題】発光層を備える表面加飾品において、水圧転写による装飾の柄抜けを防止してその外観品質を高める。【解決手段】表面加飾品１は、樹脂成形体２と、発光層３と、第１クリアコート層４と、印刷層５と、第２クリアコート層６とを備える。発光層３は、蓄光顔料７を含み、樹脂成形体２の表面上に形成される。第１クリアコート層４は発光層３の表面上に形成され、印刷層５はその第１クリアコート層４の表面上に水圧転写される。第２クリアコート層６は、印刷層５を覆うように第１クリアコート層４の表面上に形成される。【選択図】  図１
2006231578.tif 000002
【特許請求の範囲】
【請求項１】
基材と、
前記基材の表面上に形成され、蓄光顔料を含む発光層と、
前記発光層の表面上に形成された第１クリアコート層と、
前記第１クリアコート層の表面上に液圧転写された印刷層と、
前記印刷層を覆うように前記第１クリアコート層の表面上に形成された第２クリアコート層と
を備えることを特徴とする表面加飾品。
【請求項２】
前記発光層は、粒径が２０μｍ以上の蓄光顔料を含んでいることを特徴とする請求項１に記載の表面加飾品。
【請求項３】
前記第１クリアコート層及び前記第２クリアコート層は、同種のクリア塗料を塗布してなることを特徴とする請求項１または２に記載の表面加飾品。
【請求項４】
液圧転写によって基材の表面に装飾を加える表面加飾品の製造方法であって、
前記基材の表面上に蓄光顔料を含む発光層を形成する工程と、
前記発光層の表面上にクリア塗料を塗布して第１クリアコート層を形成する工程と、
前記第１クリアコート層の表面上に印刷層を液圧転写する工程と、
前記印刷層の表面上にクリア塗料を塗布して第２クリアコート層を形成する工程と
を含むことを特徴とする表面加飾品の製造方法。
【発明の詳細な説明】
【技術分野】
【０００１】
本発明は、液圧転写によって装飾が施された表面加飾品、及びその製造方法に関するものである。
【背景技術】
【０００２】
自動車の内装部品などでは、デザイン性や品質を高めるために成形体の表面に水圧転写によって装飾を加えるようにした表面加飾品（例えば、コンソールボックス、インストルメントパネル、アームレストなど）が多く実用化されている。ここで、水圧転写とは、水面上に特殊フィルムを浮かべ、そのフィルムに印刷された所定の絵柄（木目模様や幾何学模様などの絵柄）を水圧によって成形体の表面に転写する技術であり、三次元曲面への印刷を正確かつ容易に行うことができる。
【０００３】
また、この水圧転写によって装飾が施された表面加飾品において、蓄光顔料を含む発光層を形成して夜間での視認性を高めるようにした製品が従来提案されている（例えば、特許文献１参照）。
【特許文献１】特開平８−２５８４９８号公報
【発明の開示】
【発明が解決しようとする課題】
【０００４】
ところで、特許文献１のような表面加飾品では、一般的に発光層に含まれる蓄光顔料の粒径が数μｍ程度であるため、発光層の輝度感が不足している。それゆえ、輝度感をもっと高めるためには、例えば蓄光顔料の粒径を大きくする必要がある。しかしながら、粒径の大きな蓄光顔料を含むインクや塗料の塗布により形成された発光層においては、その表面に凸凹が生じやすい。このため、発光層表面に所定の絵柄を水圧転写する場合、エアのかみ込みによって絵柄がそこだけ密着せず、柄抜けが生じるといった問題が生じる。図３は、その一例として従来の表面加飾品１１を示している。
【０００５】
図３に示すように、上記従来の表面加飾品１１には、樹脂成形体１２の表面上に蓄光顔料１３を含む発光層１４が形成され、その発光層１４の表面上に印刷層１５が水圧転写されている。さらに、その印刷層１５を覆うように発光層１４の表面上にクリアコート層１６が形成されている。この表面加飾品１１では、蓄光顔料１３が発光層１４の表面から突出し、その表面が凸凹になっている。そのため、発光層１４の表面に所定の絵柄を水圧転写する場合、表面の凸凹部にエアをかみ込んでしまい、そのエアが邪魔をしてフィルムの絵柄を転写することができない。その結果、蓄光顔料１３の上部では柄抜けが発生して、表面加飾品１１の意匠性が低下してしまう。
【０００６】
本発明は上記の課題に鑑みてなされたものであり、その目的は、発光層を備える表面加飾品であって、水圧転写による装飾の柄抜けを防止してその外観品質を高めることができる表面加飾品を提供することにある。また、別の目的として、上記表面加飾品を製造するのに好適な表面加飾品の製造方法を提供することにある。
【課題を解決するための手段】
【０００７】
上記課題を解決するために、請求項１に記載の発明では、基材と、前記基材の表面上に形成され、蓄光顔料を含む発光層と、前記発光層の表面上に形成された第１クリアコート層と、前記第１クリアコート層の表面上に液圧転写された印刷層と、前記印刷層を覆うように前記第１クリアコート層の表面上に形成された第２クリアコート層とを備えることを特徴とする表面加飾品をその要旨とする。
【０００８】
請求項１に記載の発明によれば、基材の表面上に形成される発光層は蓄光顔料を含むため、蓄光顔料の一部が発光層の表面から突出することでその表面に凸凹が生じる可能性がある。本発明では、その発光層の表面上に第１クリアコート層を形成することにより、表面の凸凹が平坦化される。そして、その平坦化された表面上に印刷層が液圧転写される。このようにすると、従来技術のように液圧転写する際にエアをかみこんで柄抜けを起こすといった問題が解消される。
【０００９】
本発明における表面加飾品としては、自動車部品や住宅用の装飾部品などを挙げることができる。また、発光層が形成されるべき基材としては、金属部材、樹脂部材、木材や石材などを挙げることができる。特に、任意の形状に成形が可能な樹脂成形体を用いることが好ましい。
【００１０】
請求項２に記載の発明は、請求項１において、前記発光層は、粒径が２０μｍ以上の蓄光顔料を含んでいることをその要旨とする。
【００１１】
請求項２に記載の発明によれば、通常よりも粒径が大きい蓄光顔料を含む発光層となるため、輝度感を高めることができる。また、この場合には、発光層の表面の凸凹が大きくなるが、発光層の表面上に第１クリアコート層を形成することにより、その凸凹を確実に抑制し、表面を平坦化することができる。
【００１２】
表面加飾品における発光層の輝度感を高めるためには、蓄光顔料の平均粒径が２０μｍ以上であることが好ましく、発光層の表面に形成される凸凹を考慮すると、蓄光顔料の平均粒径は１００μｍ以下であることが好ましい。
【００１３】
請求項３に記載の発明は、請求項１または２において、前記第１クリアコート層及び前記第２クリアコート層は、同種のクリア塗料を塗布してなることをその要旨とする。
【００１４】
請求項３に記載の発明によれば、同種のクリア塗料からなる層同士であるので、互いの付着性が向上し、第２クリアコート層が第１クリアコート層から剥離することを防止することができる。また、クリアコート層を二層化したことによる外観品質の悪化も防止することができる。
【００１５】
前記第１クリアコート層及び第２クリアコート層を形成するためのクリア塗料としては、ともに耐水性の高い二液ウレタン塗料を用いることが好ましい。一般的な蓄光顔料は耐水性が低いため、水圧転写によって印刷層を形成する際に蓄光顔料が水に触れるとその輝度感が低下してしまうおそれがある。しかし、耐水性の高い二液ウレタン塗料で第１クリアコート層及び第２クリアコート層を形成すれば、蓄光顔料が水に触れることがなく輝度感を維持することができる。
【００１６】
請求項４に記載の発明は、液圧転写によって基材の表面に装飾を加える表面加飾品の製造方法であって、前記基材の表面上に蓄光顔料を含む発光層を形成する工程と、前記発光層の表面上にクリア塗料を塗布して第１クリアコート層を形成する工程と、前記第１クリアコート層の表面上に印刷層を液圧転写する工程と、前記印刷層の表面上にクリア塗料を塗布して第２クリアコート層を形成する工程とを含むことを特徴とする表面加飾品の製造方法をその要旨とする。
【００１７】
請求項４に記載の発明によれば、基材の表面上に蓄光顔料を含む発光層が形成された後、その発光層の表面上にクリア塗料が塗布される。この場合、発光層表面の凹部にクリア塗料が流れ込み、その発光層の表面を平坦化するよう第１クリアコート層が形成される。なお、クリア塗料は塗布時に流動性を有するため、発光層表面の凹凸に確実に追従することができる。従って、その第１クリアコート層の表面上に印刷層を液圧転写することにより、従来技術のような柄抜けを防止することができる。そして、その印刷層の表面上にクリア塗料が塗布されて第２クリアコート層が形成されることで、印刷層が保護されるとともに外観品質が高められる。
【発明の効果】
【００１８】
以上詳述したように、請求項１〜３に記載の発明によると、水圧転写による装飾の柄抜けを防止してその外観品質を高めた表面加飾品を提供することができる。また、請求項４に記載の発明によると、上記表面加飾品を製造するのに好適な表面加飾品の製造方法を提供することができる。
【発明を実施するための最良の形態】
【００１９】
以下、本発明を具体化した一実施の形態を図面に基づき詳細に説明する。図１は、本実施形態における表面加飾品１の概略構成を示す断面図である。この表面加飾品１は、例えば、自動車におけるドアのアームレストを構成する内装部品である。
【００２０】
図１に示されるように、表面加飾品１は、基材としての樹脂成形体２と、樹脂成形体２の表面上に形成される発光層３と、発光層３の表面上に形成される第１クリアコート層４と、第１クリアコート層４の表面上に形成される印刷層５と、印刷層５を覆うように第１クリアコート層４の表面上に形成される第２クリアコート層６とを備える。本実施形態における各層３〜６の厚さは、発光層３が２０μｍ程度であり、第１クリアコート層４及び第２クリアコート層６が３０μｍ程度であり、印刷層５が２０μｍ程度である。
【００２１】
発光層３は、平均粒径が２０μｍ〜４０μｍ程度の蓄光顔料７を含んでいる。この発光層３に対し、各クリアコート層４，６を介して光が照射されると、その光を吸収した発光層３が暗所において発光する。蓄光顔料７としては、例えばストロンチウムを主成分とする顔料が用いられる。具体的には、ストロンチウム酸化物に賦活剤（例えば、ユウロピウムの酸化物）を加えて混合焼成し、それにより得られた焼成体を粉砕することで蓄光顔料７が製造される。なお、蓄光顔料７としては、酸化アルミニウム、酸化カルシウム、酸化マグネシウムなどを主成分とする顔料を用いてもよい。
【００２２】
本実施形態の表面加飾品１では、発光層３の輝度感を高めるため比較的粒径が大きな蓄光顔料７を用いているため、その蓄光顔料７が発光層３の表面から突出し、発光層３の表面が凸凹になる。この凸凹を平坦化するために無色透明のクリア塗料を用いて第１クリアコート層４が形成されている。クリア塗料としては、耐水性の高い二液ウレタン塗料（主剤と硬化剤とを混合して硬化させる二液型のウレタン樹脂塗料）が用いられている。この第１クリアコート層４は、発光層３における蓄光顔料７を防水するための保護膜としても機能する。
【００２３】
印刷層５は、図示しない水溶性フィルム上にグラビア印刷を行うことにより作製され、水圧転写によって第１クリアコート層４の表面上に転写されることで成形体表面を装飾する。このような印刷層５の絵柄の例としては、例えば木目模様や幾何学模様などがある。
【００２４】
第２クリアコート層６は、第１クリアコート層４と同様に、クリア塗料としての二液ウレタン塗料からなり、印刷層５を保護する保護膜として機能する。なお、本実施の形態において、第１クリアコート層４及び第２クリアコート層６は、発光層３への光を透過するクリアコート層であればよく、無色透明である必要はない。つまり、各クリアコート層４，６は、無色透明のクリア塗料以外に有色透明の塗料（カラークリア塗料）を用いて形成してもよい。
【００２５】
次に、本実施形態の表面加飾品１の製造方法について図２に従い説明する。
【００２６】
先ず、樹脂材料（例えば、ＡＢＳ樹脂）を用いて所定形状に成形した樹脂成形体２を用意する。そして、図２（ａ）に示すように、樹脂成形体２の表面上に、蓄光顔料７が混入された蓄光塗料を塗布することで発光層３を形成する。なおここで、蓄光塗料の１回の塗布によって、発光層３の所定の厚さ（２０μｍ程度）を確保できない場合には複数回の塗布を行うようにする。
【００２７】
その後、図２（ｂ）に示すように、発光層３の表面上にクリア塗料を１回または複数回塗布することで所定の厚さ（３０μｍ程度）の第１クリアコート層４を形成する。このとき、粘性のあるクリア塗料を発光層３の表面上に塗布することにより、その表面に形成されている凹部にクリア塗料が確実に流れ込む。そのため、第１クリアコート層４を形成することで、発光層３の表面における凸凹が解消される。
【００２８】
さらに、図２（ｃ）に示すように、第１クリアコート層４の表面上に印刷層５を水圧転写する。なおここでは、転写フィルム（例えば、ポリビニールアルコールを主成分とする水溶性フィルム）を図示しない転写装置の水槽の水面上に浮かべ、樹脂成形体２における第１クリアコート層４の表面を転写フィルムに押し付ける。このとき、水圧によって、転写フィルムに印刷された所定の絵柄が第１クリアコート層４の表面に転写される。
【００２９】
そして、不要となった転写フィルムを水洗洗浄するとともに、転写時に付着した水分や溶剤を乾燥させた後、図２（ｄ）に示すように、印刷層５の表面上にクリア塗料を１回または複数回塗布することで所定の厚さ（３０μｍ程度）の第２クリアコート層６を形成する。これにより、本実施形態の表面加飾品１が製造される。
【００３０】
この表面加飾品１では、水圧転写による装飾（木目模様や幾何学模様の絵柄）が正確に施されるため、その装飾によって外観品質が高められる。また、暗い場所では、発光層３が高輝度で発光し水圧転写による装飾を照らし出すため、明るい場所とは異なる美しい外観が得られる。
【００３１】
従って、本実施形態によれば以下の効果を得ることができる。
【００３２】
（１）本実施形態の表面加飾品１では、発光層３の表面上に第１クリアコート層４を形成することにより、発光層表面の凸凹が平坦化されるので、水圧転写によって印刷層５を確実に転写することができる。従って、従来技術のような水圧転写による柄抜けが防止されて装飾が正確に施されるため、表面加飾品１の外観品質を高めることができる。
【００３３】
（２）本実施形態の表面加飾品１では、粒径が比較的大きな蓄光顔料７を用いることができ、発光層３の輝度感を高めることができる。
【００３４】
（３）一般的な蓄光顔料は耐水性に問題があるため、水圧転写で装飾を加える従来の表面加飾品においては、耐水性のある蓄光顔料が用いられていた。この場合、蓄光顔料の発光色が限定されてしまうため、従来の表面加飾品１１において所望の色合いの発光パターンを実現することが困難となっていた。これに対し、本実施形態では、発光層３の上面に第１クリアコート層４を形成することにより、水圧転写時において蓄光顔料７が防水されるため、耐水性のある蓄光顔料を用いる必要がなく、所望の発光色の蓄光顔料７を用いることが可能となる。従って、本実施形態の表面加飾品１では、所望の色合いの発光パターンを実現することができる。
【００３５】
（４）本実施形態の表面加飾品１の場合、第１クリアコート層４及び第２クリアコート層６が同種のクリア塗料からなるので、クリアコート層４，６同士の付着性が向上し、第２クリアコート層６が第１クリアコート層４から剥離することを防止できる。またこの場合、クリアコート層４，６を二層化したことによる外観品質の悪化も防止することができる。
【００３６】
なお、本発明の実施形態は以下のように変更してもよい。
【００３７】
・上記実施形態において、発光層３は、蓄光顔料入りの塗料（蓄光塗料）を塗布することで形成されるものであったが、蓄光顔料入りのインクを印刷することで形成してもよい。
【００３８】
・上記実施形態では、クリア塗料として、二液ウレタン塗料を用いたが、一液ウレタン塗料を用いてもよい。
【００３９】
・上記実施形態では、樹脂成形体２の表面に水圧転写によって装飾を加えるものであったが、水以外の液体の圧力を利用して転写を行うことによって装飾を加えてもよい。
【００４０】
・上記実施形態では、ＡＢＳ樹脂からなる樹脂成形体２の表面に装飾を加えるものであったが、ＡＢＳ樹脂以外に、アクリル樹脂、ポリプロピレン樹脂、塩化ビニル樹脂などの樹脂成形体の表面に装飾を加えてもよい。また、本発明は、樹脂成形体２に限定されるものではなく、金属部材、木材、石材などの基材を用いてもよい。
【００４１】
次に、特許請求の範囲に記載された技術的思想のほかに、前述した実施形態によって把握される技術的思想を以下に列挙する。
【００４２】
（１）請求項１において、前記発光層に含まれる蓄光顔料の平均粒径は２０μｍ以上であることを特徴とする表面加飾品。
【００４３】
（２）請求項１において、前記発光層に含まれる蓄光顔料の粒径は、１００μｍ以下であることを特徴とする表面加飾品。
【００４４】
（３）請求項１または２において、前記第１クリアコート層及び前記第２クリアコート層は、ともに二液ウレタン塗料を塗布してなることを特徴とする表面加飾品。
【００４５】
（４）請求項１乃至３のいずれか１項において、前記発光層は、前記蓄光顔料を含む塗料を塗布してなることを特徴とする表面加飾品。
【００４６】
（５）請求項１乃至３のいずれか１項において、前記発光層は、前記蓄光顔料を含むインクを印刷してなることを特徴とする表面加飾品。
【００４７】
（６）請求項１乃至３のいずれか１項において、前記基材は樹脂成形体であることを特徴とする表面加飾品。
【図面の簡単な説明】
【００４８】
【図１】本発明を具体化した一実施の形態の表面加飾品を示す断面図。
【図２】（ａ）〜（ｄ）は、図１の表面加飾品の製造方法を示す説明図。
【図３】従来の表面加飾品を示す断面図。
【符号の説明】
【００４９】
１…表面加飾品
２…基材としての樹脂成形体
３…発光層
４…第１クリアコート層
５…印刷層
６…第７クリアコート層
７…蓄光顔料
【図１】
2006231578.tif 000003
【図２】
2006231578.tif 000004
【図３】
2006231578.tif 000005